(57)【要約】      （修正有）【課題】所定のアプリケーションソフトウェアを実装したタブレット端末を装着することで、虹彩モジュールとタブレット端末とのリンクを簡易に図り虹彩認証に基づく制御を可能とする、壁面や机上等に簡易に配設可能な虹彩認証装置を提供する。【解決手段】虹彩認証モジュールを用いて虹彩認証を行うものでタブレット端末が搭載可能な虹彩認証装置１であって、タブレット端末を装着し収納する筺体２と、筺体２に上下方向に移動自在に保持されており、その内部に少なくとも撮像部４を備えた虹彩モジュールが実装されたモジュール実装部３とを備える。筺体２の前面にはタブレット端末のタッチパネル２１を露呈する開口部６が設けられており、モジュール実装部３の前面には虹彩モジュールの撮像部４を露呈する開口部が設けられている。【選択図】図１
0003191076.tif 000002
【実用新案登録請求の範囲】
【請求項１】
虹彩認証モジュールを用いて虹彩認証を行うもので、タブレット端末が搭載可能な虹彩認証装置であって、
前記タブレット端末を装着し収納する筺体部と、
前記筺体部に上下方向に移動自在に保持されており、その内部に少なくとも撮像部を備えた虹彩認証モジュールが実装されたモジュール実装部と、
を備えたことを特徴とする虹彩認証装置。
【請求項２】
前記筺体部の前面には前記タブレット端末のタッチパネルを露呈する開口部が設けられており、前記モジュール実装部の前面には前記虹彩認証モジュールの前記撮像部の少なくとも一部を露呈する開口部が設けられている
請求項１に記載の虹彩認証装置。
【請求項３】
前記モジュール実装部には、前記撮像部による虹彩の撮像が所定の焦点距離以内となるように導くための規制部材が装着される
請求項１又は２に記載の虹彩認証装置。
【請求項４】
前記筺体部には、ガイド孔と当該ガイド孔に沿って上下方向又は左右方向に移動自在な装着部とが配設されており、複数の前記装着部の位置をガイド孔に沿って調整して前記タブレット端末を上下方向及び左右方向から挟持することで、当該タブレット端末を所定の位置で保持する
請求項１乃至３のいずれかに記載の虹彩認証装置。
【考案の詳細な説明】
【技術分野】
【０００１】
本考案は、例えば入退室者等の虹彩を撮像し認証を行う装置に係り、特に予め虹彩モジュールが組み込まれ、筺体に所定のアプリケーションソフトウェアが実装されたタブレット端末を装着することで虹彩認証に基づく制御を可能とする虹彩認証装置に関する。
【背景技術】
【０００２】
従来、オフィスや工場等、入退室に認証が必要な施設の出入口付近に配置され、入退室者の虹彩を撮像し、予め登録された虹彩データと照合を行い、所定の認証を行うことで入退室の可否を判定する虹彩認証装置について種々の考案がなされている。
【０００３】
例えば、特許文献１では、虹彩撮影装置が開示されている。即ち、同文献１で開示された虹彩撮影装置は、被撮影者の眼を映す誘導鏡部と、誘導鏡部に眼が映った状態で眼の虹彩を撮影する撮影部と、撮影部から距離が虹彩を撮影するのに適している撮影適正範囲に被撮影者を誘導するための誘導光源とを備えている。
【先行技術文献】
【特許文献】
【０００４】
【特許文献１】特開２００８−３１０４８０号公報
【考案の概要】
【考案が解決しようとする課題】
【０００５】
しかしながら、前述したような従来の虹彩認証装置は、装置自体が高価且つ大がかりなものであり、その導入には多大なコストがかかり、オフィス等の入退室口等への取り付けに際しても広範なスペースを要し、取り付けにも煩雑な作業を伴っていた。
【０００６】
今日では、携帯端末としてのタブレット端末も高機能化してきており、このようなタブレット端末の所定のアプリケーションソフトウェアに基づく情報処理を活用し、低コストで簡易に虹彩認証に基づく制御を実現することが嘱望されている。
【０００７】
さらに、虹彩認証装置にタブレット端末を用いる場合、虹彩の撮像、虹彩認証等を実施するカメラ等を内蔵した虹彩認証モジュールを併せて用いることが嘱望される。
【０００８】
本考案は上述の技術的な課題に鑑み、予め虹彩認証モジュールが実装され、所定のアプリケーションソフトウェアを実装したタブレット端末を装着することで、当該虹彩認証モジュールとタブレット端末とのリンクを簡易に図り、虹彩認証に基づく制御を可能とする、壁面や机上等に簡易に配設可能な、虹彩認証装置を提供することを目的とする。
【課題を解決するための手段】
【０００９】
前述した課題を解決するため、本考案の一実施形態に係る虹彩認証装置は、虹彩認証モジュールを用いて虹彩認証を行うもので、タブレット端末が搭載可能な虹彩認証装置であって、前記タブレット端末を装着し収納する筺体部と、前記筺体部に上下方向に移動自在に保持されており、その内部に少なくとも撮像部を備えた虹彩認証モジュールが実装されたモジュール実装部と、を備えたことを特徴とする。
【００１０】
ここで、筺体部の前面にはタブレット端末のタッチパネルを露呈する開口部が設けられており、モジュール実装部の前面には虹彩認証モジュールの撮像部の少なくとも一部を露呈する開口部が設けられていることとしてよい。
【００１１】
さらに、モジュール実装部には、撮像部による虹彩の撮像が所定の焦点距離以内となるように導くための規制部材が装着されることとしてよい。
【００１２】
また、筺体部には、ガイド孔と当該ガイド孔に沿って上下方向又は左右方向に移動自在な装着部とが配設されており、複数の装着部の位置をガイド孔に沿って調整してタブレット端末を上下方向及び左右方向から挟持することで、当該タブレット端末を所定の位置で保持するようにしてもよい。
【考案の効果】
【００１３】
従って、本考案の請求項１，２に係る虹彩認証装置によれば、予め虹彩認証モジュールが実装され、所定のアプリケーションソフトウェアを実装したタブレット端末を装着することで、当該虹彩認証モジュールとタブレット端末とのリンクを簡易に図り、虹彩認証に基づく制御を可能とする、施設等の壁面や机上等に簡易に配設可能な、虹彩認証装置を提供することができる。
【００１４】
また、請求項１，２に係る虹彩認証装置によれば、モジュール実装部が筺体部に対して上下方向に移動自在となっているので認証者の背の高さに合わせて撮像部の位置を柔軟に調整することもできる。
【００１５】
さらに、請求項３に係る考案によれば、これに加えて、所定の焦点距離で高精度の虹彩撮像が実現されるので、認証の精度も高まる。
【００１６】
また、請求項４に係る考案によれば、これらに加えて、ガイド孔に沿って移動自在な装着部で挟持するだけで、簡易かつ迅速にタブレット端末を筺体部に着脱することが可能となる。しかも、装着部がガイド孔に沿って移動自在なので、多種多様なサイズのタブレット端末の装着に柔軟に対応することが可能となる。また、タブレット端末のタッチパネルの開口部への位置合わせも、高精度で行うことが可能となる。
【図面の簡単な説明】
【００１７】
【図１】本考案の一実施形態に係る虹彩認証装置の斜視図である。
【図２】本考案の一実施形態に係る虹彩認証装置の正面図である。
【図３】本考案の一実施形態に係る虹彩認証装置の背面図である。
【図４】本考案の一実施形態に係る虹彩認証装置の側面図である。
【図５】本考案の一実施形態に係る虹彩認証装置の規制部材を外した様子を示す斜視図である。
【考案を実施するための形態】
【００１８】
以下、本考案の虹彩認証装置に係る好適な実施形態について図面を参照しながら説明する。なお、本考案の虹彩認証装置は、以下の記述に限定されるものではなく、本考案の要旨を逸脱しない範囲において、適宜変更可能である。
【００１９】
図１には本考案の一実施形態に係る虹彩認証装置の斜視図を示し、図２には当該虹彩認証装置の正面図を示し、図３には当該虹彩認証装置の背面図を示し、図４には当該虹彩認証装置の側面図を示し、図５には当該虹彩認証装置の規制部材を外した様子を示す斜視図を示し、各部の構成及び作用を詳細に説明する。
【００２０】
この図１乃至５に示されるように、本考案の一実施形態に係る虹彩認証装置１では、筺体２の前面に縦方向に延びたガイド用開口部７が設けられており、更に当該ガイド用開口部７を上下方向に移動自在な軸部材８が配設されており、当該軸部材８にモジュール実装部３が固定されている。即ち、モジュール実装部３は、筺体２に対して上下方向に移動自在に保持されている。このモジュール実装部３には、予め虹彩認証モジュールが実装されており、当該虹彩認証モジュールの一部である撮像部４はモジュール実装部３の前面に少なくともその撮像面が露呈するように配設されている。
【００２１】
図１，４に示されるように、モジュール実装部３には、更に、撮像部４を取り囲むように、且つ前方向に延出するように、規制部材（アジャスター）５が着脱自在に装着されている。この例では、規制部材５は、前方に行くほど断面の直径が小さくなる円錐台状の略筒型で側周面のうち床面側半分は開口され天井面側も一部開口された形状の第１の部材５ａと、当該第１の部材５ａとは逆に前方に行くほど断面の直径が大きくなる円錐台状の略筒型の第２の部材５ｂとが接続された構成となっている。但し、これには限定されず、接眼部に当たる第２の部材５ｂを撮像面から所定の焦点距離となるように規制できれば、第１の部材５ａの形状にはバー形状のものも採用できる。
【００２２】
筺体２は、一の部材に他の部材が覆い被さり、外側の他の部材側から一の部材と他の部材の双方に開口されたネジ孔に１つのネジ９を螺合させてネジ止めすることで両者の位置関係が固定保持される構成となっている。
【００２３】
さらに、図２に示されるように、筺体２の内部にはタブレット端末２０を装着するための装着部１５ａ〜１５ｆが、この例では６箇所設けられている。この装着部１５ａ〜１５ｆは、装着するタブレット端末２０の大きさに合わせて、更にはそのタッチパネル２１が筺体２の前面開口部６に位置合わせされるように、ガイド孔１４ａ〜１４ｆに沿って上下又は左右に位置を調整できるようになっている。ガイド孔１４ａ〜１４ｆに沿った移動による調整の後、装着部１５ａ〜１５ｆの筺体２に対する位置を固定する際には、筺体２の背面より当該装着部１５ａ〜１５ｆに不図示のネジ等を螺合させればよい。
【００２４】
筺体２の背面には、図３，４に示されるように、装着部１５ａ〜１５ｆを所定位置で背面からネジを螺合する位置には、保護の為のキャップ部材１１ａ乃至１１ｆが装着されている。さらに、背面の略中央には、装着されたタブレット端末２０の電源コードを出すための開口部１３が設けられており、当該開口部１３にはプラスチックやゴム等によるグロメットも取り付けられている。さらに、背面の左方には、虹彩認証モジュールを実装したモジュール実装部３を装着する際に使用する所定の開口部に保護用のキャップ部材１２が装着されている。モジュール実装部３の装着に際しては、このキャップ部材１２を外して作用する。このほか、壁面やスタンド等への取り付け用のＶＥＳＡ規格（例えば、７５ｍｍ×７５ｍｍ／１００ｍｍ×１００ｍｍ）の複数の孔１０も設けられている。
【００２５】
また、規制部材５が、モジュール実装部３に対して着脱自在となっていることは前述した通りであるが、図５に示されるように、取り付けの際には、モジュール実装部３の孔部１６ａ，１６ｂに規制部材５の一端面に形成された爪部５ｃ,５ｄを挿入し、下方向に押し込むことで、両者が係合され、簡易に装着される。一方、規制部材５をモジュール実装部３から取り外す場合には、規制部材５を上方向に押し上げ、モジュール実装部３より引き出すことで、モジュール実装部３の孔部１６ａ，１６ｂと規制部材５の爪部５ｃ，５ｄとの係合が解けるので、簡易に取り外すことができる。
【００２６】
このような構成において、この虹彩認証装置１に、タブレット端末２０を装着する際には、筺体部２のネジ９による螺合を解除して一の部材を他の部材から外して開いた状態とする。そして、６箇所の装着部１５ａ〜１５ｆをガイド孔１４ａ〜１４ｆに沿って移動させながら位置関係を調整し、タブレット端末２０のタッチパネル２１が筺体２の開口部６に合致する位置で装着部１５ａ〜１５ｆを固定し、タブレット端末２０を挟持する。
【００２７】
すなわち、４つの装着部１５ａ，１５ｂ，１５ｄ，１５ｅは、縦方向に延びたガイド孔１４ａ，１４ｂ，１４ｄ，１４ｅに沿って上下方向にそれぞれ移動自在となっている。そして、２つの装着部１５ｃ，１５ｆは、横方向に延びたガイド孔１４ｃ，１４ｆに沿って左右方向に移動自在となっている。従って、４つの装着部１５ａ，１５ｂ，１５ｄ，１５ｅにより上下方向からタブレット端末２０を挟持し、２つの装着部１５ｃ，１５ｆにより左右方向からタブレット端末２０を挟持し、全体としてタブレット端末２０を所定位置に保持することが可能となる。尚、装着部１５は、位置が定まったところで、不図示のネジにより筺体２のガイド孔１４に対して螺合する等して固定する。
【００２８】
このような装着部１５ａ〜１５ｆの作用により、多種多様な大きさのタブレットの装着に柔軟に対応することが可能となっている。尚、タブレット端末２０には、虹彩認証対応の所定のアプリケーションソフトウェアが実装されている。
【００２９】
こうして、筺体２の装着されたタブレット端末２０の不図示の電源コードは、背面略中央部に設けられた開口部１３より外部に引き出される。また、タブレット端末２０は、モジュール実装部３に実装された虹彩認証モジュールと所定のケーブルを介して電気的に接続されることになる。尚、ケーブルは、軸部材８に一体化されてもよい。
【００３０】
次いで、先に図３に示したように筺体２の背面に設けられたＶＥＳＡ規格（例えば、７５ｍｍ×７５ｍｍ／１００ｍｍ×１００ｍｍ）の複数の孔１０を用いて、認証が必要なオフィスや工場等の施設の入退室口付近の壁面やスタンド等に設置されると、虹彩認証装置として使用可能な状態となる。
【００３１】
このようにスタンバイされた状態で、実際に虹彩認証を行う際には、タブレット端末２０の電源をオンし、所定のアプリケーションソフトウェアを実行し、所定のオペレーション画面をタッチパネル２１に表示する。そして、入退室を所望とする者は、自己の背の高さに合わせてモジュール実装部３を上下方向に移動させて位置調整を行う。そして、規制部材５の第２の部材５ｂの先端に自己の眼を当て付けて撮像部４による虹彩画像の撮像を行う。このとき、規制部材５により、撮像部４による虹彩の撮像が所定の焦点距離となるように位置調整が図られるので、高精度の撮像が可能となる。
【００３２】
こうして、虹彩認証装置１の撮像部４により撮像された虹彩の画像は虹彩認証モジュールにて画像処理され、特徴量等が抽出され、虹彩認証モジュール内の記憶部に登録されている虹彩データとの照合が図られ、所定の認証がなされる。そして、この認証結果に基づいて、タブレット端末２０の制御により、施設のドアの鍵の開閉等、対象物の制御がなされる。
【００３３】
以上説明したように、本考案の一実施形態によれば、タブレット端末２０を用いた虹彩認証装置であって、タブレット端末２０を装着し収納する筺体部２と、筺体部２に上下方向に移動自在に保持されており、その内部に少なくとも撮像部４を備えた虹彩認証モジュールが実装されたモジュール実装部３と、を備えたことを特徴とする虹彩認証装置１が提供される。
【００３４】
従って、この実施形態に係る虹彩認証装置１によれば、予め虹彩認証モジュールが実装されているので、所定のアプリケーションソフトウェアが実装されたタブレット端末２０を装着するだけで、虹彩認証に基づく制御を実現することができる。しかも、撮像部４が上下方向に移動自在となっているので、認証者の眼の高さ（背の高さ）に合わせて、撮像部の位置を調整することができるので、認証者に楽な姿勢での認証作業を提供できる。
【００３５】
さらに、筺体部２の前面にはタブレット端末２０のタッチパネル２１を露呈する開口部６が設けられており、モジュール実装部３の前面には虹彩認証モジュールの前記撮像部４の少なくとも一部（撮像面等）を露呈する開口部が設けられていてよい。この場合、タブレット端末２０のタッチパネル２１をそのまま虹彩認証装置１の操作パネル並びに表示部として使用することができるので、タブレット端末２０の操作に日常的に慣れたユーザには認証操作が分かりやすい。
【００３６】
また、モジュール実装部３には、撮像部４による虹彩の撮像が所定の焦点距離以内となるように導くための規制部材５が装着されてよい。これによれば、認証者は眼を規制部材５の先端に当てつけるだけで所定の焦点距離での撮像が実現されるので、特別に複雑な動作を要求することなく、分かり易い案内により適正な認証へと導くことが可能となる。
【００３７】
また、筺体部２には、ガイド孔１４と当該ガイド孔１４に沿って上下方向又は左右方向に移動自在な装着部１５とが配設されており、複数の装着部１５の位置をガイド孔１４に沿って調整して前記タブレット端末２０を上下方向及び左右方向から挟持することで当該タブレット端末２０を所定の位置で保持するようにしてもよい。これによれば、多種多様なタブレット端末２０のサイズに柔軟に対応することが可能となる。しかも、タッチパネル２１と筺体部２の前面に形成された開口部６との位置関係を簡易且つ迅速に調整することも可能となる。
【符号の説明】
【００３８】
１  虹彩認証装置
２  筺体
３  モジュール実装部
４  撮像部
５  規制部材
５ａ  第１の部材
５ｂ  第２の部材
５ｃ，５ｄ  爪部
６  開口部
７  ガイド用開口部
８  軸部材
９  ネジ
１０  孔
１１ａ〜１１ｆ  キャップ部材
１２  キャップ部材
１３  開口部
１４ａ〜１４ｆ  ガイド孔
１５ａ〜１５ｆ  装着部
１６  孔部
２０  タブレット端末
２１  タッチパネル
【図１】
0003191076.tif 000003
【図２】
0003191076.tif 000004
【図３】
0003191076.tif 000005
【図４】
0003191076.tif 000006
【図５】
0003191076.tif 000007